(57)【要約】【課題】セル間の接続構造を簡略化した太陽電池モジュールを提供する。【解決手段】太陽電池モジュール１００は、第１太陽電池セル１０ａと、第１太陽電池セル１０ａと第１方向に並んで配置される第２太陽電池セル１０ｂと、第２太陽電池セル１０ｂと第１方向と交差する第２方向に並んで配置される第３太陽電池セル１０ｃと、第１太陽電池セル１０ａの中心１４ａを通る第２方向の直線と、第２太陽電池セル１０ｂの中心１４を通るｂ第２方向の直線との間に配置され、第１太陽電池セル１０ａと第２太陽電池セル１０ｂを電気的に接続する第１接続部材２０ａと、第２太陽電池セル１０ｂの中心１４ｂを通る第１方向の直線と、第３太陽電池セル１０ｃの中心１４ｃを通る第１方向の直線との間に配置され、第２太陽電池セル１０ｂと第３太陽電池セル１０ｃを電気的に接続する第２接続部材２０ｂと、を備える。【選択図】図１
2018107210.tif 000002
【特許請求の範囲】
【請求項１】
第１太陽電池セルと、
前記第１太陽電池セルと第１方向に並んで配置される第２太陽電池セルと、
前記第２太陽電池セルと前記第１方向と交差する第２方向に並んで配置される第３太陽電池セルと、
前記第１太陽電池セルの中心を通る前記第２方向の直線と、前記第２太陽電池セルの中心を通る前記第２方向の直線との間に配置され、前記第１太陽電池セルと前記第２太陽電池セルを電気的に接続する第１接続部材と、
前記第２太陽電池セルの中心を通る前記第１方向の直線と、前記第３太陽電池セルの中心を通る前記第１方向の直線との間に配置され、前記第２太陽電池セルと前記第３太陽電池セルを電気的に接続する第２接続部材と、を備え、
前記第１太陽電池セル、前記第２太陽電池セルおよび前記第３太陽電池セルのそれぞれは、一主面上に第１導電型側電極および第２導電型側電極が設けられる太陽電池モジュール。
【請求項２】
前記第２太陽電池セルおよび前記第３太陽電池セルのそれぞれは、セル外周に沿って前記第２方向に延びる第１導電型側バスバー電極と、セル外周に沿って前記第２方向に延びる第２導電型側バスバー電極と、前記第１方向に延びる複数の第１導電型側フィンガー電極と、前記第１方向に延びる複数の第２導電型側フィンガー電極とを有し、
前記第２接続部材は、前記第２太陽電池セルの前記第１導電型側バスバー電極と、前記第３太陽電池セルの前記第２導電型側バスバー電極とに接続される、請求項１に記載の太陽電池モジュール。
【請求項３】
前記第２太陽電池セルおよび前記第３太陽電池セルのそれぞれは、セル外周に沿って前記第２方向に延びる第１導電型側バスバー電極と、セル外周に沿って前記第２方向に延びる第２導電型側バスバー電極と、前記第１方向に延びる複数の第１導電型側フィンガー電極と、前記第１方向に延びる複数の第２導電型側フィンガー電極とを有し、
前記第２太陽電池セルの前記複数の第１導電型側フィンガー電極の一つは、セル外周に沿って前記第１方向に延在し、
前記第３太陽電池セルの前記複数の第２導電型側フィンガー電極の一つは、セル外周に沿って前記第１方向に延在し、
前記第２接続部材は、前記第２太陽電池セルの前記複数の第１導電型側フィンガー電極の一つと、前記第３太陽電池セルの前記複数の第２導電型側フィンガー電極の一つとに接続される、請求項１に記載の太陽電池モジュール。
【請求項４】
前記第２太陽電池セルは、セル外周に沿って前記第１方向に延びる第１導電型側バスバー電極と、セル外周に沿って前記第２方向に延びる第２導電型側バスバー電極と、前記第１導電型側バスバー電極から延在する複数の第１導電型側フィンガー電極と、前記第２導電型側バスバー電極から延在する複数の第２導電型側フィンガー電極とを有し、
前記第３太陽電池セルは、セル外周に沿って前記第２方向に延びる第１導電型側バスバー電極と、セル外周に沿って前記第１方向に延びる第２導電型側バスバー電極と、前記第１導電型側バスバー電極から延在する複数の第１導電型側フィンガー電極と、前記第２導電型側バスバー電極から延在する複数の第２導電型側フィンガー電極とを有し、
前記第２接続部材は、前記第２太陽電池セルの前記第１導電型側バスバー電極と、前記第３太陽電池セルの前記第２導電型側バスバー電極とに接続される、請求項１に記載の太陽電池モジュール。
【請求項５】
前記第２太陽電池セルおよび前記第３太陽電池セルのそれぞれは、前記第１方向に並ぶ複数のサブセルと、隣接するサブセルの境界に設けられる分離領域とを有し、前記第１導電型側電極は、前記複数のサブセルのうちの一端のサブセルに設けられ、前記第２導電型側電極は、前記複数のサブセルのうちの他端のサブセルに設けられ、隣接する二つのサブセルは、前記第１方向に延びる複数のサブ電極により接続され、
前記第２接続部材は、前記第２太陽電池セルの前記第１導電型側電極と、前記第３太陽電池セルの前記第２導電型側電極とに接続される、請求項１に記載の太陽電池モジュール。
【請求項６】
前記第２接続部材は、前記第２太陽電池セルおよび前記第３太陽電池セルの少なくとも一方から前記第１方向に離れた位置を避けて配置される、請求項１から５のいずれか一項に記載の太陽電池モジュール。
【請求項７】
前記第２接続部材は、前記第２太陽電池セルの前記第２導電型側電極と重なる位置と、前記第３太陽電池セルの前記第１導電型側電極と重なる位置との少なくとも一方を避けて配置される、請求項１から６のいずれか一項に記載の太陽電池モジュール。
【請求項８】
前記第３太陽電池セルと前記第１方向に並び、前記第１太陽電池セルと前記第２方向に並んで配置され、一主面上に第１導電型側電極および第２導電型側電極が設けられる第４太陽電池セルと、
前記第３太陽電池セルと前記第４太陽電池セルを電気的に接続する第３接続部材と、をさらに備え、
前記第１太陽電池セルおよび前記第４太陽電池セルのそれぞれは、セル外周に沿って前記第２方向に延びる第１導電型側バスバー電極と、セル外周に沿って前記第２方向に延びる第２導電型側バスバー電極と、前記第１方向に延びる複数の第１導電型側フィンガー電極と、前記第１方向に延びる複数の第２導電型側フィンガー電極とを有し、
前記第１接続部材は、前記第１太陽電池セルの前記第１導電型側バスバー電極と、前記第２太陽電池セルの前記第２導電型側バスバー電極とに接続され、
前記第３接続部材は、前記第３太陽電池セルの前記第１導電型側バスバー電極と、前記第４太陽電池セルの前記第２導電型側バスバー電極とに接続される、請求項１から７のいずれか一項に記載の太陽電池モジュール。
【発明の詳細な説明】
【技術分野】
【０００１】
本発明は、太陽電池モジュールに関する。
【背景技術】
【０００２】
太陽電池セルは、複数のセルを接続することによりモジュール化される。裏面にｎ側電極およびｐ側電極が設けられるバックコンタクト型の太陽電池セルを用いる場合、セルの裏面側に配置される接続部材により隣接するセル間が接続される。セル間を接続する接続部材は、例えば、複数のフィンガー電極と交差するように設けられる（例えば、特許文献１参照）。
【先行技術文献】
【特許文献】
【０００３】
【特許文献１】国際公開第２０１３／０４２６８３号
【発明の概要】
【発明が解決しようとする課題】
【０００４】
太陽電池セル間をより簡易な構造で接続できることが好ましい。
【０００５】
本発明はこうした状況に鑑みてなされたものであり、その目的は、セル間の接続構造を簡略化した太陽電池モジュールを提供することにある。
【課題を解決するための手段】
【０００６】
本発明のある態様の太陽電池モジュールは、第１太陽電池セルと、第１太陽電池セルと第１方向に並んで配置される第２太陽電池セルと、第２太陽電池セルと第１方向と交差する第２方向に並んで配置される第３太陽電池セルと、第１太陽電池セルの中心を通る第２方向の直線と、第２太陽電池セルの中心を通る第２方向の直線との間に配置され、第１太陽電池セルと第２太陽電池セルを電気的に接続する第１接続部材と、第２太陽電池セルの中心を通る第１方向の直線と、第３太陽電池セルの中心を通る第１方向の直線との間に配置され、第２太陽電池セルと第３太陽電池セルを電気的に接続する第２接続部材と、を備える。第１太陽電池セル、第２太陽電池セルおよび第３太陽電池セルのそれぞれは、一主面上に第１導電型側電極および第２導電型側電極が設けられる。
【０００７】
本発明によれば、セル間の接続構造を簡略化した太陽電池モジュールを提供できる。
【図面の簡単な説明】
【０００８】
【図１】実施の形態に係る太陽電池モジュールの構造を示す上面図である。
【図２】実施の形態に係る太陽電池モジュールの構造を示す断面図である。
【図３】実施の形態に係る太陽電池モジュールの構造を示す下面図である。
【図４】変形例に係る太陽電池モジュールの構造を示す下面図である。
【図５】変形例に係る太陽電池モジュールの構造を示す下面図である。
【図６】変形例に係る太陽電池モジュールの構造を示す下面図である。
【図７】変形例に係る太陽電池セルの構造を示す下面図である。
【図８】変形例に係る太陽電池モジュールの構造を示す下面図である。
【発明を実施するための形態】
【０００９】
本発明を具体的に説明する前に、概要を述べる。実施の形態は、一主面上に第１導電型側電極および第２導電型側電極が設けられる複数の太陽電池セルを接続した太陽電池モジュールである。この太陽電池モジュールは、第１太陽電池セルと、第１太陽電池セルと第１方向に並んで配置される第２太陽電池セルと、第２太陽電池セルと第１方向と交差する第２方向に並んで配置される第３太陽電池セルと、第１太陽電池セルの中心を通る第２方向の直線と、第２太陽電池セルの中心を通る第２方向の直線との間に配置され、第１太陽電池セルと第２太陽電池セルを電気的に接続する第１接続部材と、第２太陽電池セルの中心を通る第１方向の直線と、第３太陽電池セルの中心を通る第１方向の直線との間に配置され、第２太陽電池セルと第３太陽電池セルを電気的に接続する第２接続部材と、を備える。この態様によれば、いわゆるバックコンタクト型の太陽電池セル間を接続する接続部材をセルの中心間の位置に限定して配置することにより、セルと接続部材とが重なる範囲を小さくし、セル間の接続構造を簡略化できる。
【００１０】
以下、図面を参照しながら、本発明を実施するための形態について詳細に説明する。図面の説明において同一の要素には同一の符号を付し、重複する説明を適宜省略する。
【００１１】
図１は、実施の形態に係る太陽電池モジュール１００の構造を示す上面図である。太陽電池モジュール１００は、第１セルストリング１６と、第２セルストリング１７と、第１セルストリング１６と第２セルストリング１７を電気的に接続する接続部材２０（後述する第２接続部材２０ｂ）とを備える。
【００１２】
第１セルストリング１６は、第１方向（ｘ方向）に並んで配置される複数の太陽電池セル１０と、ｘ方向に隣接する太陽電池セル１０の間を接続する複数の接続部材２０とを含む。第２セルストリング１７は、第１方向（ｘ方向）に並んで配置される複数の太陽電池セル１０と、ｘ方向に隣接する太陽電池セル１０の間を接続する複数の接続部材２０とを含む。第１セルストリング１６と第２セルストリング１７は、第１方向（ｘ方向）と交差する第２方向（ｙ方向）に間隔を空けて配置される。
【００１３】
図示される例において、第１セルストリング１６および第２セルストリング１７に含まれる複数の太陽電池セル１０は格子状に配置され、例えば、２×５のマトリックス状に配置される。本実施の形態において、第１方向と第２方向は互いに直交するが、変形例においては、第１方向に対して第２方向が斜めに交差してもよい。
【００１４】
太陽電池セル１０は、略矩形の外周形状を有し、四隅が隅切りされた八角形の外周形状を有する。太陽電池セル１０の外周は、ｘ方向及びｙ方向に延びる四本の長辺１８と、各長辺１８の間に設けられる四本の短辺１９とにより構成される。
【００１５】
太陽電池セル１０は、いわゆるバックコンタクト型の太陽電池であり、図１に示される受光面１１には電極が設けられない。太陽電池セル１０の電極は、受光面１１とは反対側の裏面１２（図２、図３参照）に設けられる。
【００１６】
接続部材２０は、太陽電池セル１０の裏面側に設けられ、太陽電池セル１０の裏面の電極に接続される。第１接続部材２０ａは、第１セルストリング１６の一端にてｘ方向に並んで配置される第１太陽電池セル１０ａと第２太陽電池セル１０ｂを接続する。第２接続部材２０ｂは第１セルストリング１６の一端に配置される第２太陽電池セル１０ｂと第２セルストリング１７の一端に配置される第３太陽電池セル１０ｃを接続する。第２太陽電池セル１０ｂと第３太陽電池セル１０ｃは、ｙ方向に並んで配置される。第３接続部材２０ｃは、第２セルストリング１７の一端にてｘ方向に並んで配置される第３太陽電池セル１０ｃと第４太陽電池セル１０ｄを接続する。
【００１７】
接続部材２０は、板状ないしシート状の部材であり、銅（Ｃｕ）やアルミニウム（Ａｌ）、銀（Ａｇ）といった導電性の高い材料で構成される。接続部材２０は、例えば、銅箔やアルミ（Ａｌ）箔といった金属箔である。接続部材２０は、導電層と絶縁層の積層体で構成されてもよく、例えば、フレキシブル基板やリジッド基板といった樹脂材料の基板と、基板上に形成される配線層とを有してもよい。
【００１８】
接続部材２０は、接続する二つの太陽電池セル１０の中心間に配置される。例えば、第１接続部材２０ａは、第１太陽電池セル１０ａの中心１４ａを通るｙ方向の直線と、第２太陽電池セル１０ｂの中心１４ｂを通るｙ方向の直線との間の領域Ｗ１内に設けられる。第２接続部材２０ｂは、第２太陽電池セル１０ｂの中心１４ｂを通るｘ方向の直線と、第３太陽電池セル１０ｃの中心１４ｃを通るｘ方向の直線との間の領域Ｗ２内に設けられる。第３接続部材２０ｃは、第３太陽電池セル１０ｃの中心１４ｃを通るｙ方向の直線と、第４太陽電池セル１０ｄの中心１４ｄを通るｙ方向の直線との間の領域Ｗ３内に設けられる。したがって、接続部材２０は、接続する二つの太陽電池セル１０が隣接する方向（ｘ方向またはｙ方向）と直交する方向（ｙ方向またはｘ方向）に延びる直線であって、一方の太陽電池セルの中心を通る直線と、他方の太陽電池セルの中心を通る直線との間の位置に設けられる。
【００１９】
接続部材２０は、接続する二つの太陽電池セル１０が設けられる領域から離れた位置を避けて設けられる。ここで、接続する二つの太陽電池セル１０が設けられる領域とは、一方の太陽電池セルが設けられる領域と、他方の太陽電池セルが設けられる領域と、双方の太陽電池セルに挟まれる領域とを含む領域のことをいう。例えば、第１接続部材２０ａは、第１太陽電池セル１０ａおよび第２太陽電池セル１０ｂが設けられる領域内に配置され、第１太陽電池セル１０ａおよび第２太陽電池セル１０ｂの少なくとも一方からｙ方向に離れた位置にはみ出ないように設けられる。
【００２０】
図２は、実施の形態に係る太陽電池モジュール１００の構造を示す断面図であり、図１のＡ−Ａ線断面に対応する。太陽電池モジュール１００は、第１保護部材５０と、第２保護部材５２と、第１封止部材５４と、第２封止部材５６とをさらに備える。第１保護部材５０、第２保護部材５２、第１封止部材５４および第２封止部材５６は、セルストリング１６，１８を封止して複数の太陽電池セル１０を保護する。
【００２１】
太陽電池セル１０は、光電変換部１３と、第１導電型側電極３０と、第２導電型側電極４０とを有する。光電変換部１３は、半導体基板と、半導体基板の一主面上の第１導電型領域に設けられる第１導電型半導体層と、半導体基板の一主面上の第１導電型領域とは異なる第２導電型領域に設けられる第２導電型半導体層とを含む。第１導電型側電極３０は、光電変換部１３の第１導電型半導体層上に設けられ、第２導電型側電極４０は、光電変換部１３の第２導電型半導体層上に設けられる。本実施の形態では、第１導電型がｎ型であり、第２導電型がｐ型である場合を示すが、第１導電型がｐ型であり、第２導電型がｎ型であってもよい。
【００２２】
第１保護部材５０は、太陽電池モジュール１００の受光面側に配置される。第１保護部材５０として、透光性および遮水性を有するガラス板や、透光性プラスチック板等を用いることができる。第１保護部材５０の厚さは、例えば、１ｍｍ〜１０ｍｍである。第２保護部材５２は、太陽電池モジュール１００の裏面側に配置される。第２保護部材５２として、ガラス板やポリエチレンテレフタラート（ＰＥＴ）等の樹脂基板等を用いることができる。第２保護部材５２の厚さは、例えば、５０μｍ〜２００μｍである。なお、第１保護部材５０は、フッ素系樹脂やＰＥＴ系樹脂のフィルムであってもよく、厚さが１０μｍ〜１ｍｍであってもよい。
【００２３】
第１封止部材５４は、第１保護部材５０とセルストリング１６，１８の間に設けられる。第２封止部材５６は、第２保護部材５２とセルストリング１６，１８の間に設けられる。第１封止部材５４および第２封止部材５６は、第１保護部材５０と第２保護部材５２の間でセルストリング１６，１８を封止する。第１封止部材５４および第２封止部材５６として、例えば、ＥＶＡ（エチレン酢酸ビニル共重合体）や、ＰＶＢ（ポリビニルブチラール）、ポリイミド等の樹脂フィルムを用いることができる。第１封止部材５４および第２封止部材５６の厚さは、例えば、１００μｍ〜８００μｍである。第２封止部材５６には、入射した光を拡散させるためのチタニア（ＴｉＯ２）やアルミナ（Ａｌ２Ｏ３）などの粒子が含まれてもよい。
【００２４】
図３は、実施の形態に係る太陽電池モジュール１００の構造を示す下面図である。図３は、太陽電池モジュール１００に含まれる複数の太陽電池セル１０のうち、第１太陽電池セル１０ａ、第２太陽電池セル１０ｂ、第３太陽電池セル１０ｃおよび第４太陽電池セル１０ｄの裏面１２の構造を示す。図示される四つの太陽電池セル１０ａ，１０ｂ，１０ｃ，１０ｄは、それぞれ同様の構造を有する。
【００２５】
第１太陽電池セル１０ａは、裏面１２に設けられる第１導電型側電極３０ａと第２導電型側電極４０ａとを有する。第１導電型側電極３０ａは、ｎ側電極であり、第１太陽電池セル１０ａのｎ型半導体層上のｎ型領域に設けられる。第２導電型側電極４０ａは、ｐ側電極であり、第１太陽電池セル１０ａのｐ型半導体層上のｐ型領域に設けられる。図面の分かりやすさのため、図３では第１導電型側電極３０ａにハッチングを付している。
【００２６】
第１導電型側電極３０ａは、第１導電型側バスバー電極３１ａと、複数の第１導電型側フィンガー電極３２ａとを有する。第１導電型側バスバー電極３１ａは、第１太陽電池セル１０ａのセル外周に沿ってｙ方向に延在し、第２太陽電池セル１０ｂと隣接する長辺に沿って設けられる。複数の第１導電型側フィンガー電極３２ａは、第１導電型側バスバー電極３１ａからｘ方向に延在し、ｙ方向に間隔を空けて配置される。
【００２７】
第２導電型側電極４０ａは、第２導電型側バスバー電極４１ａと、複数の第２導電型側フィンガー電極４２ａとを有する。第２導電型側バスバー電極４１ａは、第１太陽電池セル１０ａのセル外周に沿ってｙ方向に延在し、第２太陽電池セル１０ｂと隣接する長辺とは反対側の長辺に沿って設けられる。複数の第２導電型側フィンガー電極４２ａは、第２導電型側バスバー電極４１ａからｘ方向に延在し、ｙ方向に間隔を空けて配置される。
【００２８】
複数の第１導電型側フィンガー電極３２ａと複数の第２導電型側フィンガー電極４２ａは、ｙ方向に交互に配置されている。複数の第２導電型側フィンガー電極４２ａのうちｙ方向の両端に配置される二つの第２導電型側フィンガー電極４２ａは、第１太陽電池セル１０ａの外周に沿って設けられる。一方、複数の第１導電型側フィンガー電極３２ａは、第２導電型側フィンガー電極４２ａよりもセルの内側に配置される。
【００２９】
第２太陽電池セル１０ｂは、第１太陽電池セル１０ａと同様、第１導電型側電極３０ｂと第２導電型側電極４０ｂとを有する。第１導電型側電極３０ｂは、セル外周に沿ってｙ方向に延びる第１導電型側バスバー電極３１ｂと、ｘ方向に延びる複数の第１導電型側フィンガー電極３２ｂとを有する。第２導電型側電極４０ｂは、セル外周に沿ってｙ方向に延びる第２導電型側バスバー電極４１ｂと、ｘ方向に延びる複数の第２導電型側フィンガー電極４２ｂとを有する。第２太陽電池セル１０ｂの四つの長辺のうち、第１太陽電池セル１０ａと隣接する長辺には第２導電型側バスバー電極４１ｂが設けられ、第３太陽電池セル１０ｃと隣接する長辺には第２導電型側フィンガー電極４２ｂが設けられる。
【００３０】
第３太陽電池セル１０ｃは、第１太陽電池セル１０ａと同様、第１導電型側電極３０ｃと第２導電型側電極４０ｃとを有する。第１導電型側電極３０ｃは、セル外周に沿ってｙ方向に延びる第１導電型側バスバー電極３１ｃと、ｘ方向に延びる複数の第１導電型側フィンガー電極３２ｃとを有する。第２導電型側電極４０ｃは、セル外周に沿ってｙ方向に延びる第２導電型側バスバー電極４１ｃと、ｘ方向に延びる複数の第２導電型側フィンガー電極４２ｃとを有する。第３太陽電池セル１０ｃの四つの長辺のうち、第２太陽電池セル１０ｂと隣接する長辺には第２導電型側フィンガー電極４２ｃが設けられ、第４太陽電池セル１０ｄと隣接する長辺には第１導電型側バスバー電極３１ｃが設けられる。
【００３１】
第４太陽電池セル１０ｄは、第１太陽電池セル１０ａと同様、第１導電型側電極３０ｄと第２導電型側電極４０ｄとを有する。第１導電型側電極３０ｄは、セル外周に沿ってｙ方向に延びる第１導電型側バスバー電極３１ｄと、ｘ方向に延びる複数の第１導電型側フィンガー電極３２ｄとを有する。第２導電型側電極４０ｄは、セル外周に沿ってｙ方向に延びる第２導電型側バスバー電極４１ｄと、ｘ方向に延びる複数の第２導電型側フィンガー電極４２ｄを有する。第４太陽電池セル１０ｄの四つの長辺のうち、第３太陽電池セル１０ｃと隣接する長辺には第２導電型側バスバー電極４１ｄが設けられる。
【００３２】
第１接続部材２０ａは、第１太陽電池セル１０ａおよび第２太陽電池セル１０ｂの対向する長辺に沿って設けられ、ｘ方向に短く、ｙ方向に長い形状を有する。第１接続部材２０ａのｙ方向の長さは、例えば、第１太陽電池セル１０ａおよび第２太陽電池セル１０ｂの長辺の長さと同程度である。第１接続部材２０ａは、第１太陽電池セル１０ａの第１導電型側バスバー電極３１ａと、第２太陽電池セル１０ｂの第２導電型側バスバー電極４１ｂとに接続される。第１接続部材２０ａは、第１太陽電池セル１０ａの第１導電型側バスバー電極３１ａの少なくとも一部と、第２太陽電池セル１０ｂの第２導電型側バスバー電極４１ｂの少なくとも一部とに重なるように設けられる。一方で、第１接続部材２０ａの金属箔や導電層は、第１太陽電池セル１０ａの第２導電型側フィンガー電極４２ａおよび第２太陽電池セル１０ｂの第１導電型側フィンガー電極３２ｂと重ならないように設けられる。
【００３３】
第３接続部材２０ｃは、第１接続部材２０ａと同様、第３太陽電池セル１０ｃおよび第４太陽電池セル１０ｄの対向する長辺に沿って設けられ、ｘ方向に短く、ｙ方向に長い形状を有する。第３接続部材２０ｃは、第３太陽電池セル１０ｃの第１導電型側バスバー電極３１ｃと、第４太陽電池セル１０ｄの第２導電型側バスバー電極４１ｄとに接続される。第３接続部材２０ｃは、第３太陽電池セル１０ｃの第１導電型側バスバー電極３１ｃの少なくとも一部と、第４太陽電池セル１０ｄの第２導電型側バスバー電極４１ｄの少なくとも一部とに重なるように設けられる。一方で、第３接続部材２０ｃの金属箔や導電層は、第３太陽電池セル１０ｃの第２導電型側フィンガー電極４２ｃおよび第４太陽電池セル１０ｄの第１導電型側フィンガー電極３２ｄと重ならないように設けられる。
【００３４】
第２接続部材２０ｂは、第２太陽電池セル１０ｂの第１導電型側バスバー電極３１ｂと、第３太陽電池セル１０ｃの第２導電型側バスバー電極４１ｃとに接続される。第２接続部材２０ｂは、第２太陽電池セル１０ｂの第１導電型側バスバー電極３１ｂおよび第３太陽電池セル１０ｃの第２導電型側バスバー電極４１ｃに沿って設けられ、ｘ方向に短く、ｙ方向に長い形状を有する。第２接続部材２０ｂは、第２太陽電池セル１０ｂの中心１４ｂを通るｘ方向に延びる直線と、第３太陽電池セル１０ｃの中心１４ｃを通るｘ方向に延びる直線との間の領域Ｗ２内に設けられる。したがって、第２接続部材２０ｂのｙ方向の長さは、第２太陽電池セル１０ｂおよび第３太陽電池セル１０ｃの中心１４ｂ，１４ｃの間の距離よりも短く、例えば、第２太陽電池セル１０ｂまたは第３太陽電池セル１０ｃの長辺の長さよりも短い。
【００３５】
第２接続部材２０ｂは、第２太陽電池セル１０ｂおよび第３太陽電池セル１０ｃが設けられる領域内に配置され、第２太陽電池セル１０ｂおよび第３太陽電池セル１０ｃの少なくとも一方からｘ方向に離れた位置にはみ出ないように設けられる。第２接続部材２０ｂは、図示されるように、第２太陽電池セル１０ｂの短辺１９ｂおよび第３太陽電池セル１０ｃの短辺１９ｃと交差するように設けられる。第２接続部材２０ｂは、第２太陽電池セル１０ｂおよび第３太陽電池セル１０ｃのフィンガー電極３２ｂ，３２ｃ，４２ｂ，４２ｃと重なる位置を避けて設けられる。その結果、第２接続部材２０ｂのｘ方向の幅は、第２接続部材２０ｂおよび第３接続部材２０ｃの短辺１９ｂ，１９ｃよりも短い。
【００３６】
本実施の形態によれば、第１セルストリング１６と第２セルストリング１７とを接続する第２接続部材２０ｂを上述のように配置することにより、セルストリング間の接続構造を簡略化できる。また、太陽電池セル１０が配置される領域内に第２接続部材２０ｂを設けることで、太陽電池モジュール１００の外形寸法をできるだけ小さくし、モジュールの設置面積あたりの発電量であるモジュール発電効率を向上できる。
【００３７】
比較例として、第２太陽電池セル１０ｂと第３太陽電池セル１０ｃを接続する接続部材が第２太陽電池セル１０ｂおよび第３太陽電池セル１０ｃからｘ方向にはみ出るように設けられた場合、ｘ方向にはみ出した分だけモジュールの外形寸法が大きくなってしまう。その結果、上述の実施の形態よりもモジュールの設置面積が大きくなり、モジュール発電効率が低下してしまう。
【００３８】
別の比較例として、国際公開第２０１３／０４２６８３号に示されるように、第２太陽電池セル１０ｂおよび第３太陽電池セル１０ｃにわたってフィンガー電極３２ｂ，４２ｂ，３２ｃ，４２ｃの全てと交差するように接続部材を設ければ、モジュール外形寸法の増大を防ぐことができるかもしれない。しかしながら、この比較例では複数のフィンガー電極と交差するように接続部材が設けられるため、一方の導電型側のフィンガー電極と接続されつつ、他方の導電型のフィンガー電極とは非接続となる接続構造にしなければならず、接続構造が複雑化する。具体的には、非接続とする他方の導電型のフィンガー電極との間に絶縁層を設ける必要が生じる。また、第２太陽電池セル１０ｂおよび第３太陽電池セル１０ｃの一端から他端まで接続部材が延在するため、接続部材が延在する範囲にわたってモジュールの厚さ（ｚ方向の高さ）が増加してしまう。
【００３９】
一方、本実施の形態によれば、接続される二つの太陽電池セル１０の中心１４の間に限定されて接続部材２０が配置されるため、太陽電池セル１０と接続部材２０とが重なる範囲を小さくできる。また、接続部材２０が太陽電池セル１０のバスバー電極と重なるように配置され、フィンガー電極と重ならないように配置されるため、フィンガー電極との間に絶縁層を設ける必要がなくなり、接続構造を簡略化できる。したがって、本実施の形態に係る太陽電池モジュール１００によれば、接続構造の簡略化による製造コストの低減と、モジュール発電効率の向上とを両立させることができる。
【００４０】
本実施の形態の一態様は次の通りである。ある態様の太陽電池モジュール（１００）は、
第１太陽電池セル（１０ａ）と、
第１太陽電池セル（１０ａ）と第１方向（ｘ方向）に並んで配置される第２太陽電池セル（１０ｂ）と、
第２太陽電池セル（１０ｂ）と第１方向（ｘ方向）と交差する第２方向（ｙ方向）に並んで配置される第３太陽電池セル（１０ｃ）と、
第１太陽電池セル（１０ａ）の中心（１４ａ）を通る第２方向（ｙ方向）の直線と、第２太陽電池セル（１０ｂ）の中心（１４ｂ）を通る第２方向（ｙ方向）の直線との間に配置され、第１太陽電池セル（１０ａ）と第２太陽電池セル（１０ｂ）を電気的に接続する第１接続部材（２０ａ）と、
第２太陽電池セル（１０ｂ）の中心（１４ｂ）を通る第１方向（ｘ方向）の直線と、第３太陽電池セル（１０ｃ）の中心（１４ｃ）を通る第１方向（ｘ方向）の直線との間に配置され、第２太陽電池セル（１０ｂ）と第３太陽電池セル（１０ｃ）を電気的に接続する第２接続部材（２０ｂ）と、を備え、
第１太陽電池セル（１０ａ）、第２太陽電池セル（１０ｂ）および第３太陽電池セル（１０ｃ）のそれぞれは、一主面（裏面１２）上に第１導電型側電極（３０）および第２導電型側電極（４０）が設けられる。
【００４１】
第２太陽電池セル（１０ｂ）および第３太陽電池セル（１０ｃ）のそれぞれは、セル外周に沿って第２方向（ｙ方向）に延びる第１導電型側バスバー電極（３１ｂ，３１ｃ）と、セル外周に沿って第２方向（ｙ方向）に延びる第２導電型側バスバー電極（４１ｂ，４１ｃ）と、第１方向（ｘ方向）に延びる複数の第１導電型側フィンガー電極（３２ｂ，３２ｃ）と、第１方向（ｘ方向）に延びる複数の第２導電型側フィンガー電極（４２ｂ，４２ｃ）とを有し、
第２接続部材（２０ｂ）は、第２太陽電池セル（１０ｂ）の第１導電型側バスバー電極（３１ｂ）と、第３太陽電池セル（１０ｃ）の第２導電型側バスバー電極（４１ｃ）とに接続されてもよい。
【００４２】
第２接続部材（２０ｂ）は、第２太陽電池セル（１０ｂ）および第３太陽電池セル（１０ｃ）の少なくとも一方から第１方向（ｘ方向）に離れた位置を避けて配置されてもよい。
【００４３】
第２接続部材（２０ｂ）は、第２太陽電池セル（１０ｂ）の第２導電型側電極（４０ｂ）と重なる位置と、第３太陽電池セル（１０ｃ）の第１導電型側電極（３０ｃ）と重なる位置との少なくとも一方を避けて配置されてもよい。
【００４４】
第３太陽電池セル（１０ｃ）と第１方向（ｘ方向）に並び、第１太陽電池セル（１０ａ）と第２方向（ｙ方向）に並んで配置され、一主面（裏面１２）上に第１導電型側電極（３０ｄ）および第２導電型側電極（４０ｄ）が設けられる第４太陽電池セル（１０ｄ）と、
第３太陽電池セル（１０ｃ）と第４太陽電池セル（１０ｄ）を電気的に接続する第３接続部材（２０ｃ）と、をさらに備え、
第１太陽電池セル（１０ａ）および第４太陽電池セル（１０ｄ）のそれぞれは、セル外周に沿って第２方向（ｙ方向）に延びる第１導電型側バスバー電極（３１ａ，３１ｄ）と、セル外周に沿って第２方向（ｙ方向）に延びる第２導電型側バスバー電極（４１ａ，４１ｄ）と、第１方向（ｘ方向）に延びる複数の第１導電型側フィンガー電極（３２ａ，３２ｄ）と、第１方向（ｘ方向）に延びる複数の第２導電型側フィンガー電極（４２ａ，４２ｄ）とを有し、
第１接続部材（２０ａ）は、第１太陽電池セル（１０ａ）の第１導電型側バスバー電極（３１ａ）と、第２太陽電池セル（１０ｂ）の第２導電型側バスバー電極（４１ｂ）とに接続され、
第３接続部材（２０ｃ）は、第３太陽電池セル（１０ｃ）の第１導電型側バスバー電極（３１ｃ）と、第４太陽電池セル（１０ｄ）の第２導電型側バスバー電極（４１ｄ）とに接続されてもよい。
【００４５】
（変形例１）
図４は、変形例に係る太陽電池モジュール２００の構造を示す下面図であり、上述の実施の形態の図３に対応する。本変形例では、第２太陽電池セル１１０ｂおよび第２接続部材１２０ｂの構成が上述の実施の形態と異なる。上述の実施の形態では、第２太陽電池セル１０ｂのセル外周に沿って第２導電型側フィンガー電極４２ｂが設けられるのに対し、本変形例では、第２太陽電池セル１１０ｂのセル外周に沿って第１導電型側フィンガー電極１３２ｂが設けられる。以下、本変形例に係る太陽電池モジュール２００について、上述の実施の形態との相違点を中心に説明する。
【００４６】
太陽電池モジュール２００は、第１太陽電池セル１０ａと、第２太陽電池セル１１０ｂと、第３太陽電池セル１０ｃと、第４太陽電池セル１０ｄと、第１接続部材２０ａと、第２接続部材１２０ｂと、第３接続部材２０ｃとを備える。第１太陽電池セル１０ａ、第３太陽電池セル１０ｃ、第４太陽電池セル１０ｄ、第１接続部材２０ａおよび第３接続部材２０ｃは、上述の実施の形態と同様に構成される。
【００４７】
第２太陽電池セル１１０ｂは、裏面１１２に設けられる第１導電型側電極１３０ｂおよび第２導電型側電極１４０ｂを有する。第１導電型側電極１３０ｂは、セル外周に沿ってｙ方向に延びる第１導電型側バスバー電極１３１ｂと、ｘ方向に延びる複数の第１導電型側フィンガー電極１３２ｂとを有する。第２導電型側電極１４０ｂは、セル外周に沿ってｙ方向に延びる第２導電型側バスバー電極１４１ｂと、ｘ方向に延びる複数の第２導電型側フィンガー電極１４２ｂとを有する。第１太陽電池セル１０ａと隣接する第２太陽電池セル１１０ｂの長辺には、第２導電型側バスバー電極１４１ｂが設けられる。
【００４８】
複数の第１導電型側フィンガー電極１３２ｂのうちｙ方向の両端に配置される二つの第１導電型側フィンガー電極１３２ｂは、第２太陽電池セル１１０ｂの外周に沿って設けられる。一方、複数の第２導電型側フィンガー電極１４２ｂは、第１導電型側フィンガー電極１３２ｂよりもセルの内側に配置される。したがって、第３太陽電池セル１０ｃと隣接する第２太陽電池セル１１０ｂの長辺には、第１導電型側フィンガー電極１３２ｂが設けられる。
【００４９】
第２接続部材１２０ｂは、第２太陽電池セル１１０ｂおよび第３太陽電池セル１０ｃの対向する長辺に沿って設けられ、ｙ方向に短く、ｘ方向に長い形状を有する。第２接続部材１２０ｂは、例えば、ｘ方向の長さが第２太陽電池セル１１０ｂおよび第３太陽電池セル１０ｃの長辺の長さと同程度となるように設けられる。さらなる変形例では、第２接続部材１２０ｂのｘ方向の長さが第２太陽電池セル１１０ｂおよび第３太陽電池セル１０ｃの長辺の長さよりも短くてもよく、セルの長辺の長さの２／３以下、１／２以下、または、１／３以下であってもよい。第２接続部材１２０ｂのｘ方向の長さを短くする場合、第２太陽電池セル１１０ｂの第１導電型側バスバー電極１３１ｂおよび第３太陽電池セル１０ｃの第２導電型側バスバー電極４１ｃの近くに第２接続部材１２０ｂを配置することが好ましい。
【００５０】
第２接続部材１２０ｂは、第２太陽電池セル１１０ｂの第１導電型側フィンガー電極１３２ｂと、第３太陽電池セル１０ｃの第２導電型側フィンガー電極４２ｃとに接続される。第２接続部材１２０ｂは、第２太陽電池セル１１０ｂの第１導電型側フィンガー電極１３２ｂの少なくとも一部と、第３太陽電池セル１０ｃの第２導電型側フィンガー電極４２ｃの少なくとも一部とに重なるように設けられる。一方で、第２接続部材１２０ｂは、第２太陽電池セル１１０ｂの第２導電型側フィンガー電極１４２ｂおよび第３太陽電池セル１０ｃの第１導電型側バスバー電極３１ｃと重ならないように設けられる。
【００５１】
第２接続部材１２０ｂは、上述の実施の形態と同様、第２太陽電池セル１１０ｂの中心１１４ｂを通ってｘ方向に延びる直線と、第３太陽電池セル１０ｃの中心１４ｃを通ってｘ方向に延びる直線との間の領域Ｗ２内に設けられる。また、第２接続部材１２０ｂは、第２太陽電池セル１１０ｂおよび第３太陽電池セル１０ｃが設けられる領域内に配置され、第２太陽電池セル１１０ｂおよび第３太陽電池セル１０ｃからｘ方向に離れた位置にはみ出ないように設けられる。
【００５２】
本変形例においても、上述の実施の形態と同様の効果を奏することができる。本変形例によれば、第２太陽電池セル１１０ｂおよび第３太陽電池セル１０ｃの対向する長辺に沿って、それぞれのセルに導電型の異なるフィンガー電極が設けられるため、導電型の異なるフィンガー電極に沿って第２接続部材１２０ｂを配置できる。これにより、セル間の接続構造を簡略化できる。
【００５３】
ある態様の太陽電池モジュール（２００）において、
第２太陽電池セル（１１０ｂ）および第３太陽電池セル（１０ｃ）のそれぞれは、セル外周に沿って第２方向（ｙ方向）に延びる第１導電型側バスバー電極（１３１ｂ，３１ｃ）と、セル外周に沿って第２方向（ｙ方向）に延びる第２導電型側バスバー電極（１４１ｂ，４１ｂ）と、第１方向（ｘ方向）に延びる複数の第１導電型側フィンガー電極（１３２ｂ，３２ｃ）と、第１方向（ｘ方向）に延びる複数の第２導電型側フィンガー電極（１４２ｂ，４２ｃ）とを有し、
第２太陽電池セル（１１０ｂ）の複数の第１導電型側フィンガー電極（１３２ｂ）の一つは、セル外周に沿って第１方向（ｘ方向）に延在し、
第３太陽電池セル（１０ｃ）の複数の第２導電型側フィンガー電極（４２ｃ）の一つは、セル外周に沿って第１方向（ｘ方向）に延在し、
第２接続部材（１２０ｂ）は、第２太陽電池セル（１１０ｂ）の複数の第１導電型側フィンガー電極（１３２ｂ）の一つと、第３太陽電池セル（１０ｃ）の複数の第２導電型側フィンガー電極（４２ｃ）の一つとに接続されてもよい。
【００５４】
（変形例２）
図５は、変形例に係る太陽電池モジュール３００の構造を示す下面図であり、上述の実施の形態の図３に対応する。本変形例では、第２太陽電池セル２１０ｂ、第３太陽電池セル２１０ｃおよび第２接続部材２２０ｂの構成が上述の実施の形態と異なる。具体的には、第２太陽電池セル２１０ｂおよび第３太陽電池セル２１０ｃの対向する長辺に沿ってバスバー電極が設けられ、第２太陽電池セル２１０ｂおよび第３太陽電池セル２１０ｃのフィンガー電極がＬ字状に形成される。以下、本変形例に係る太陽電池モジュール３００について、上述の実施の形態との相違点を中心に説明する。
【００５５】
太陽電池モジュール３００は、第１太陽電池セル１０ａと、第２太陽電池セル２１０ｂと、第３太陽電池セル２１０ｃと、第４太陽電池セル１０ｄと、第１接続部材２０ａと、第２接続部材２２０ｂと、第３接続部材２０ｃとを備える。第１太陽電池セル１０ａ、第４太陽電池セル１０ｄ、第１接続部材２０ａおよび第３接続部材２０ｃは、上述の実施の形態と同様に構成される。
【００５６】
第２太陽電池セル２１０ｂは、裏面２１２に設けられる第１導電型側電極２３０ｂおよび第２導電型側電極２４０ｂを有する。第１導電型側電極２３０ｂは、セル外周に沿ってｘ方向に延びる第１導電型側バスバー電極２３１ｂと、第１導電型側バスバー電極２３１ｂからｙ方向に延びた後にｘ方向に延びてＬ字状に構成される複数の第１導電型側フィンガー電極２３２ｂとを有する。第２導電型側電極２４０ｂは、セル外周に沿ってｙ方向に延びる第２導電型側バスバー電極２４１ｂと、第２導電型側バスバー電極２４１ｂからｘ方向に延びた後にｙ方向に延びてＬ字状に構成される複数の第２導電型側フィンガー電極２４２ｂとを有する。第１太陽電池セル１０ａと隣接する第２太陽電池セル２１０ｂの長辺には、第２導電型側バスバー電極２４１ｂが設けられる。第３太陽電池セル２１０ｃと隣接する第２太陽電池セル２１０ｂの長辺には、第１導電型側バスバー電極２３１ｂが設けられる。
【００５７】
第３太陽電池セル２１０ｃは、第２太陽電池セル２１０ｂと同様に構成され、裏面２１２から見て第２太陽電池セル２１０ｂを時計回りに９０度回転させた電極配置を有する。第３太陽電池セル２１０ｃは、第１導電型側電極２３０ｃと、第２導電型側電極２４０ｃとを有する。第１導電型側電極２３０ｃは、セル外周に沿ってｙ方向に延びる第１導電型側バスバー電極２３１ｃと、第１導電型側バスバー電極２３１ｃからｘ方向に延びた後にｙ方向に延びてＬ字状に構成される複数の第１導電型側フィンガー電極２３２ｃとを有する。第２導電型側電極２４０ｃは、セル外周に沿ってｘ方向に延びる第２導電型側バスバー電極２４１ｃと、第２導電型側バスバー電極２４１ｃからｙ方向に延びた後にｘ方向に延びてＬ字状に構成される複数の第２導電型側フィンガー電極２４２ｃとを有する。第２太陽電池セル２１０ｂと隣接する第３太陽電池セル２１０ｃの長辺には、第２導電型側バスバー電極２４１ｃが設けられる。第４太陽電池セル１０ｄと隣接する第３太陽電池セル２１０ｃの長辺には、第１導電型側バスバー電極２３１ｃが設けられる。
【００５８】
第２接続部材２２０ｂは、上述の変形例に係る第２太陽電池セル１１０ｂと同様、第２太陽電池セル２１０ｂおよび第３太陽電池セル２１０ｃの対向する長辺に沿って設けられ、ｙ方向に短く、ｘ方向に長い形状を有する。第２接続部材２２０ｂは、第２太陽電池セル２１０ｂの第１導電型側バスバー電極２３１ｂと、第３太陽電池セル２１０ｃの第２導電型側バスバー電極２４１ｃとに接続される。第２接続部材２２０ｂは、第２太陽電池セル２１０ｂの第１導電型側バスバー電極２３１ｂの少なくとも一部と、第３太陽電池セル２１０ｃの第２導電型側バスバー電極２４１ｃの少なくとも一部とに重なるように設けられる。一方で、第２接続部材２２０ｂは、第２太陽電池セル２１０ｂの第２導電型側フィンガー電極２４２ｂおよび第３太陽電池セル２１０ｃの第１導電型側バスバー電極２３１ｃと重ならないように設けられる。第２接続部材２２０ｂは、第２太陽電池セル２１０ｂおよび第３太陽電池セル２１０ｃの中心２１４ｂ，２１４ｃの間の領域Ｗ２に配置される。
【００５９】
本変形例によれば、上述の実施の形態および変形例と同様の効果を奏することができる。また、本変形例によれば、第２太陽電池セル２１０ｂおよび第３太陽電池セル２１０ｃのバスバー電極２３１ｂ，２４１ｃに第２接続部材２２０ｂが接続されるため、フィンガー電極同士を接続する場合と比べて集電効率を高めることができる。これにより、太陽電池モジュール３００の発電効率を向上させることができる。
【００６０】
ある態様の太陽電池モジュール（３００）において、
第２太陽電池セル（２１０ｂ）は、セル外周に沿って第１方向（ｘ方向）に延びる第１導電型側バスバー電極（２３１ｂ）と、セル外周に沿って第２方向（ｙ方向）に延びる第２導電型側バスバー電極（２４１ｂ）と、第１導電型側バスバー電極（２３１ｂ）から延在する複数の第１導電型側フィンガー電極（２３２ｂ）と、第２導電型側バスバー電極（２４１ｂ）から延在する複数の第２導電型側フィンガー電極（２４２ｂ）とを有し、
第３太陽電池セル（２１０ｃ）は、セル外周に沿って第２方向（ｙ方向）に延びる第１導電型側バスバー電極（２３１ｃ）と、セル外周に沿って第１方向（ｘ方向）に延びる第２導電型側バスバー電極（２４１ｃ）と、第１導電型側バスバー電極（２３１ｃ）から延在する複数の第１導電型側フィンガー電極（２３２ｃ）と、第２導電型側バスバー電極（２４１ｃ）から延在する複数の第２導電型側フィンガー電極（２４２ｃ）とを有し、
第２接続部材（２２０ｂ）は、第２太陽電池セル（２１０ｂ）の第１導電型側バスバー電極（２３１ｂ）と、第３太陽電池セル（２１０ｃ）の第２導電型側バスバー電極（２４１ｃ）とに接続されてもよい。
【００６１】
第２太陽電池セル（２１０ｂ）の複数の第１導電型側フィンガー電極（２３２ｂ）および複数の第２導電型側フィンガー電極（２４２ｂ）のそれぞれは、第１方向（ｘ方向）に延びる部分と第２方向（ｙ方向）に延びる部分とを有してもよい。
【００６２】
第３太陽電池セル（２１０ｃ）の複数の第１導電型側フィンガー電極（２３２ｃ）および複数の第２導電型側フィンガー電極（２４２ｃ）のそれぞれは、第１方向（ｘ方向）に延びる部分と第２方向（ｙ方向）に延びる部分とを有してもよい。
【００６３】
（変形例３）
図６は、変形例に係る太陽電池モジュール４００の構造を示す下面図であり、上述の変形例に係る図５に対応する。本変形例では、第２太陽電池セル３１０ｂおよび第３太陽電池セル３１０ｃのフィンガー電極がｘ方向およびｙ方向の双方に対して斜めの方向に延びる点で上述の変形例と相違する。以下、本変形例に係る太陽電池モジュール４００について、上述の変形例との相違点を中心に説明する。
【００６４】
太陽電池モジュール４００は、第１太陽電池セル１０ａと、第２太陽電池セル３１０ｂと、第３太陽電池セル３１０ｃと、第４太陽電池セル１０ｄと、第１接続部材２０ａと、第２接続部材３２０ｂと、第３接続部材２０ｃとを備える。第１太陽電池セル１０ａ、第４太陽電池セル１０ｄ、第１接続部材２０ａおよび第３接続部材２０ｃは、上述の実施の形態と同様に構成される。
【００６５】
第２太陽電池セル３１０ｂは、裏面３１２に設けられる第１導電型側電極３３０ｂおよび第２導電型側電極３４０ｂを有する。第１導電型側電極３３０ｂは、セル外周に沿ってｘ方向に延びる部分およびｙ方向に延びる部分を含むＬ字状の第１導電型側バスバー電極３３１ｂと、第１導電型側バスバー電極３３１ｂから斜めの方向に延びる複数の第１導電型側フィンガー電極３３２ｂとを有する。第２導電型側電極３４０ｂは、セル外周に沿ってｘ方向に延びる部分およびｙ方向に延びる部分を含むＬ字状の第２導電型側バスバー電極３４１ｂと、第２導電型側バスバー電極３４１ｂから斜めの方向に延びる複数の第２導電型側フィンガー電極３４２ｂとを有する。複数の第１導電型側フィンガー電極３３２ｂおよび複数の第２導電型側フィンガー電極３４２ｂは、ｘ方向およびｙ方向に対して斜めの方向に延在し、例えば、ｘ方向に対して４５度の方向に延在する。第１太陽電池セル１０ａと隣接する第２太陽電池セル３１０ｂの長辺には、第２導電型側バスバー電極３４１ｂが設けられる。第３太陽電池セル３１０ｃと隣接する第２太陽電池セル３１０ｂの長辺には、第１導電型側バスバー電極３３１ｂが設けられる。
【００６６】
第３太陽電池セル３１０ｃは、第２太陽電池セル３１０ｂと同様に構成され、裏面３１２から見て第２太陽電池セル３１０ｂを時計回りに９０度回転させた電極配置を有する。第３太陽電池セル３１０ｃは、第１導電型側電極３３０ｃと、第２導電型側電極３４０ｃとを有する。第１導電型側電極３３０ｃは、セル外周に沿ってｘ方向に延びる部分およびｙ方向に延びる部分を含むＬ字状の第１導電型側バスバー電極３３１ｃと、第１導電型側バスバー電極３３１ｃから斜めの方向に延びる複数の第１導電型側フィンガー電極３３２ｃとを有する。第２導電型側電極３４０ｃは、セル外周に沿ってｘ方向に延びる部分およびｙ方向に延びる部分を含むＬ字状の第２導電型側バスバー電極３４１ｃと、第２導電型側バスバー電極３４１ｃから斜めの方向に延びる複数の第２導電型側フィンガー電極３４２ｃとを有する。複数の第１導電型側フィンガー電極３３２ｃおよび複数の第２導電型側フィンガー電極３４２ｃは、ｘ方向およびｙ方向に対して斜めの方向に延在し、例えば、ｘ方向に対して４５度の方向に延在する。第２太陽電池セル３１０ｂと隣接する第３太陽電池セル３１０ｃの長辺には、第２導電型側バスバー電極３４１ｃが設けられる。第４太陽電池セル１０ｄと隣接する第３太陽電池セル３１０ｃの長辺には、第１導電型側バスバー電極３３１ｃが設けられる。
【００６７】
第２接続部材３２０ｂは、上述の変形例に係る第２太陽電池セル２１０ｂと同様、第２太陽電池セル３１０ｂおよび第３太陽電池セル３１０ｃの対向する長辺に沿って設けられ、ｙ方向に短く、ｘ方向に長い形状を有する。第２接続部材３２０ｂは、第２太陽電池セル３１０ｂの第１導電型側バスバー電極３３１ｂと、第３太陽電池セル３１０ｃの第２導電型側バスバー電極３４１ｃとに接続される。
【００６８】
本変形例によれば、上述の実施の形態および変形例と同様の効果を奏することができる。また、本変形例によれば、上述の変形例２と比べて第２太陽電池セル３１０ｂおよび第３太陽電池セル３１０ｃのフィンガー電極の平均長さを短くし、フィンガー電極の集電効率を高めることができる。これにより、太陽電池モジュール４００の発電効率を向上させることができる。
【００６９】
ある態様の太陽電池モジュール（４００）において、
第２太陽電池セル（３１０ｂ）は、セル外周に沿って第１方向（ｘ方向）に延びる第１導電型側バスバー電極（３３１ｂ）と、セル外周に沿って第２方向（ｙ方向）に延びる第２導電型側バスバー電極（３４１ｂ）と、第１導電型側バスバー電極（３３１ｂ）から延在する複数の第１導電型側フィンガー電極（３３２ｂ）と、第２導電型側バスバー電極（３４１ｂ）から延在する複数の第２導電型側フィンガー電極（３４２ｂ）とを有し、
第３太陽電池セル（３１０ｃ）は、セル外周に沿って第２方向（ｙ方向）に延びる第１導電型側バスバー電極（３３１ｃ）と、セル外周に沿って第１方向（ｘ方向）に延びる第２導電型側バスバー電極（３４１ｃ）と、第１導電型側バスバー電極（３３１ｃ）から延在する複数の第１導電型側フィンガー電極（３３２ｃ）と、第２導電型側バスバー電極（３４１ｃ）から延在する複数の第２導電型側フィンガー電極（３４２ｃ）とを有し、
第２接続部材（３２０ｂ）は、第２太陽電池セル（３１０ｂ）の第１導電型側バスバー電極（３３１ｂ）と、第３太陽電池セル（３１０ｃ）の第２導電型側バスバー電極（３４１ｃ）とに接続されてもよい。
【００７０】
第２太陽電池セル（３１０ｂ）の複数の第１導電型側フィンガー電極（３３２ｂ）および複数の第２導電型側フィンガー電極（３４２ｂ）のそれぞれは、第１方向（ｘ方向）および第２方向（ｙ方向）に対して斜めの方向に延びてもよい。
【００７１】
第３太陽電池セル（３１０ｃ）の複数の第１導電型側フィンガー電極（３３２ｃ）および複数の第２導電型側フィンガー電極（３４２ｃ）のそれぞれは、第１方向（ｘ方向）および第２方向（ｙ方向）に対して斜めの方向に延びてもよい。
【００７２】
（変形例４）
図７は、変形例に係る太陽電池セル４１０の構造を示す下面図であり、太陽電池セル４１０の裏面４１２を示す。本変形例では、一つの太陽電池セル４１０が複数のサブセル４７１，４７２，４７３，４７４により構成され、隣接するサブセル間に分離領域４６１，４６２，４６３が設けられる点で上述の実施の形態と相違する。以下、本変形例について、上述の実施の形態との相違点を中心に説明する。
【００７３】
太陽電池セル４１０は、第１方向（ｘ方向）に並ぶ複数のサブセル４７１〜４７４を有する。複数のサブセル４７１〜４７４は、同一の半導体基板上に形成され、隣接するサブセルの境界に分離領域４６１，４６２，４６３が設けられる。図示する例では、ｘ方向に順に第１サブセル４７１、第２サブセル４７２、第３サブセル４７３および第４サブセル４７４が並んで設けられる。本変形例では、四つのサブセルが設けられるが、さらなる変形例においては、サブセル数が三以下であってもよいし、五以上であってもよい。
【００７４】
各サブセル４７１〜４７４には、ｎ型領域とｐ型領域がｙ方向に交互に設けられる。各サブセルのｎ型領域上には、第１導電型側電極４３０または第１導電型側サブ電極４５５が設けられ、各サブセルのｐ型領域上には、第２導電型側電極４４０または第２導電型側サブ電極４５６が形成される。各分離領域４６１〜４６３には、隣接するサブセルのｎ型領域とｐ型領域を分離する分離構造が設けられる。分離領域に設けられる分離構造は、絶縁材料層であってもよいし、分離溝であってもよい。
【００７５】
太陽電池セル４１０は、裏面４１２に設けられる電極構造として、第１導電型側電極４３０と、第２導電型側電極４４０と、第１サブ電極４５１と、第２サブ電極４５２と、第３サブ電極４５３とを有する。第１導電型側電極４３０は、第４サブセル４７４に設けられており、セル外周に沿ってｙ方向に延びる第１導電型側バスバー電極４３１と、ｘ方向に延びる複数の第１導電型側フィンガー電極４３２とを有する。第２導電型側電極４４０は、第１サブセル４７１に設けられており、セル外周に沿ってｙ方向に延びる第２導電型側バスバー電極４４１と、ｘ方向に延びる複数の第２導電型側フィンガー電極４４２とを有する。第１サブ電極４５１は、第１サブセル４７１と第２サブセル４７２とを接続する。第２サブ電極４５２は、第２サブセル４７２と第３サブセル４７３とを接続する。第３サブ電極４５３は、第３サブセル４７３と第４サブセル４７４とを接続する。
【００７６】
サブ電極４５１，４５２，４５３のそれぞれは、第１導電型側サブ電極４５５と、第２導電型側サブ電極４５６と、分離領域接続サブ電極４５７とを有する。第１導電型側サブ電極４５５は、各サブセル４７１〜４７４のｎ型領域上に形成される。第２導電型側サブ電極４５６は、各サブセル４７１〜４７４のｐ型領域上に形成される。分離領域接続サブ電極４５７は、分離領域４６１，４６２，４６３上に設けられ、第１導電型側サブ電極４５５と第２導電型側サブ電極４５６を接続する。
【００７７】
第１サブ電極４５１は、第１サブセル４７１の第１導電型側サブ電極４５５と、第２サブセル４７２の第２導電型側サブ電極４５６とを含む。第２サブ電極４５２は、第２サブセル４７２の第１導電型側サブ電極４５５と、第３サブセル４７３の第２導電型側サブ電極４５６とを含む。第３サブ電極４５３は、第３サブセル４７３の第１導電型側サブ電極４５５と、第４サブセル４７４の第２導電型側サブ電極４５６とを含む。
【００７８】
図８は、変形例に係る太陽電池モジュール５００の構造を示す下面図である。太陽電池モジュール５００は、第１太陽電池セル４１０ａと、第２太陽電池セル４１０ｂと、第３太陽電池セル４１０ｃと、第４太陽電池セル４１０ｄと、第１接続部材４２０ａと、第２接続部材４２０ｂと、第３接続部材４２０ｃとを備える。太陽電池セル４１０ａ，４１０ｂ，４１０ｃ，４１０ｄは、図７に示す太陽電池セル４１０と同じ構造を有し、複数のサブセルがｘ方向に並ぶように配置されている。
【００７９】
太陽電池セル４１０ａ〜４１０ｄのそれぞれは、一端のサブセルに設けられる第１導電型側電極４３０ａ，４３０ｂ，４３０ｃ，４３０ｄと、他端のサブセルに設けられる第２導電型側電極４４０ａ，４４０ｂ，４４０ｃ，４４０ｄとを有する。各太陽電池セルの第１導電型側電極４３０ａ，４３０ｂ，４３０ｃ，４３０ｄは、セル外周に沿ってｙ方向に延びる第１導電型側バスバー電極４３１ａ，４３１ｂ，４３１ｃ，４３１ｄと、ｘ方向に延びる複数の第１導電型側フィンガー電極４３２ａ，４３２ｂ，４３２ｃ，４３２ｄとを有する。各太陽電池セルの第２導電型側電極４４０ａ，４４０ｂ，４４０ｃ，４４０ｄは、セル外周に沿ってｙ方向に延びる第２導電型側バスバー電極４４１ａ，４４１ｂ，４４１ｃ，４４１ｄと、ｘ方向に延びる複数の第２導電型側フィンガー電極４４２ａ，４４２ｂ，４４２ｃ，４４２ｄとを有する。
【００８０】
第１太陽電池セル４１０ａの第１導電型側電極４３０ａが設けられるサブセル（第４サブセル４７４ａ）は、第２太陽電池セル４１０ｂの第２導電型側電極４４０ｂが設けられるサブセル（第１サブセル４７１ｂ）とｘ方向に隣接するように配置される。第２太陽電池セル４１０ｃの第１導電型側電極４３０ｂが設けられるサブセル（第４サブセル４７４ｂ）は、第３太陽電池セル４１０ｃの第２導電型側電極４４０ｃが設けられるサブセル（第１サブセル４７１ｃ）とｙ方向に隣接するように配置される。第３太陽電池セル４１０ｃの第１導電型側電極４３０ｃが設けられるサブセル（第４サブセル４７４ｃ）は、第４太陽電池セル４１０ｄの第２導電型側電極４４０ｄが設けられるサブセル（第１サブセル４７１ｄ）とｘ方向に隣接するように配置される。
【００８１】
第１接続部材４２０ａは、第１太陽電池セル４１０ａと第２太陽電池セル４１０ｂの対向する長辺に沿ってｙ方向に延在し、第１太陽電池セル４１０ａの第１導電型側バスバー電極４３１ａと、第２太陽電池セル４１０ｂの第２導電型側バスバー電極４４１ｂとに接続される。第３接続部材４２０ｃは、第３太陽電池セル４１０ｃと第４太陽電池セル４１０ｄの対向する長辺に沿ってｙ方向に延在し、第３太陽電池セル４１０ｃの第１導電型側バスバー電極４３１ｃと、第４太陽電池セル４１０ｄの第２導電型側バスバー電極４４１ｄとに接続される。
【００８２】
第２接続部材４２０ｂは、第２太陽電池セル４１０ｂの第１導電型側電極４３０ｂと、第３太陽電池セル４１０ｃの第２導電型側電極４４０ｃとに接続される。図示する例において、第２接続部材４２０ｂは、第２太陽電池セル４１０ｂの第１導電型側バスバー電極４３１ｂと第１導電型側フィンガー電極４３２ｂの双方に接続されるとともに、第３太陽電池セル４１０ｃの第２導電型側バスバー電極４４１ｃと第２導電型側フィンガー電極４４２ｃの双方に接続される。さらなる変形例においては、第２接続部材４２０ｂがバスバー電極４３１ｂ，４４１ｃのみに接続されてもよいし、フィンガー電極４３２ｂ，４４２ｃのみに接続されてもよい。
【００８３】
第２接続部材４２０ｂは、第２太陽電池セル４１０ｂの第４サブセル４７４ｂおよび第３太陽電池セル４１０ｃの第１サブセル４７１ｃに重なるように配置され、それ以外のサブセルと重なる位置を避けて配置される。第２接続部材４２０ｂは、第２太陽電池セル４１０ｂのサブ電極（第２サブ電極４５２ｂや第３サブ電極４５３ｂなど）と重ならないように配置され、第３太陽電池セル４１０ｃのサブ電極（第１サブ電極４５１ｃや第２サブ電極４５２ｃなど）と重ならないように配置される。また第２接続部材４２０ｂは、第２太陽電池セル４１０ｂの中心４１４ｂを通ってｘ方向に延びる直線と、第３太陽電池セル４１０ｃの中心４１４ｃを通ってｘ方向に延びる直線との間の領域Ｗ２内に配置される。
【００８４】
本変形例によれば、複数のサブセル４７１〜４７４を有する太陽電池セルを用いることにより、第２太陽電池セル４１０ｂの第１導電型側電極４３０ｂと第３太陽電池セル４１０ｃの第２導電型側電極４４０ｃとを隣接する位置に配置できる。これにより、簡易な構造の第２接続部材４２０ｂを用いて、第２太陽電池セル４１０ｂと第３太陽電池セル４１０ｃとを接続することができる。これにより、上述の実施の形態および変形例と同様の効果を奏することができる。
【００８５】
図８の本変形例および図３の実施の形態では、第１セルストリング１６と第２セルストリング１７を接続する第２接続部材４２０ｂ（２０ｂ）のｘ方向の幅が図４〜図６の他の変形例に比べて小さく、第２接続部材４２０ｂ（２０ｂ）の抵抗損失の増大を考慮する必要がある。しかし、本変形例では、複数のサブセル４７１〜４７４を有する太陽電池セル４１０を用いることで一つのサブセルあたりの短絡電流が小さくなるため、太陽電池セル４１０全体の短絡電流も小さくなる。その結果、本変形例に係る第２接続部材４２０ｂの抵抗損失の影響は、図３の実施の形態に係る第２接続部材２０ｂの抵抗損失の影響よりも小さい。本変形例では、太陽電池セル４１０の短絡電流が小さくなるものの、直列接続された複数のサブセル４７１〜４７４を含むために開放電圧が大きくなるため、太陽電池セル４１０の全体としての出力電力量の顕著な低下は見られない。
【００８６】
ある態様の太陽電池モジュール（５００）において、
第２太陽電池セル（４１０ｂ）および第３太陽電池セル（４１０ｃ）のそれぞれは、第１方向（ｘ方向）に並ぶ複数のサブセルと、隣接するサブセルの境界に設けられる分離領域とを有し、第１導電型側電極（４３０ｂ，４３０ｃ）は、複数のサブセルのうちの一端のサブセルに設けられ、第２導電型側電極（４４０ｂ，４４０ｃ）は、複数のサブセルのうちの他端のサブセルに設けられ、隣接する二つのサブセルは、第１方向（ｘ方向）に延びる複数のサブ電極により接続され、
第２接続部材（４２０ｂ）は、第２太陽電池セル（４１０ｂ）の第１導電型側電極（４３０ｂ）と、第３太陽電池セル（４１０ｃ）の第２導電型側電極（４４０ｃ）とに接続されてもよい。
【００８７】
以上、本発明を上述の実施の形態を参照して説明したが、本発明は上述の実施の形態に限定されるものではなく、実施の形態および変形例の構成を適宜組み合わせたものや置換したものについても本発明に含まれるものである。
【００８８】
上述の実施の形態および変形例では、第２接続部材が接続する二つの太陽電池セルが設けられる領域から第１方向（ｘ方向）に離れた位置にはみ出さないように設けられる場合について示した。さらなる変形例においては、第２接続部材の一部が接続する二つの太陽電池セルよりも第１方向（ｘ方向）にはみ出すように設けられてもよい。
【００８９】
上述の実施の形態および変形例では、第２接続部材が第２太陽電池セルの第２導電型側電極上および第３太陽電池セルの第１導電型側電極上を避けて設けられる場合について示した。さらなる変形例では、第２接続部材の一部が第２太陽電池セルの第２導電型側電極上および第３太陽電池セルの第１導電型側電極上の少なくとも一方に重なるように設けられてもよい。この場合、第２接続部材とこれらの電極との間に絶縁層が配置されてもよい。
【符号の説明】
【００９０】
１０…太陽電池セル、１０ａ…第１太陽電池セル、１０ｂ…第２太陽電池セル、１０ｃ…第３太陽電池セル、１０ｄ…第４太陽電池セル、１４ａ，１４ｂ，１４ｃ，１４ｄ…中心、２０…接続部材、２０ａ…第１接続部材、２０ｂ…第２接続部材、２０ｃ…第３接続部材、３０…第１導電型側電極、３１…第１導電型側バスバー電極、３２…第１導電型側フィンガー電極、４０…第２導電型側電極、４１…第２導電型側バスバー電極、４２…第２導電型側フィンガー電極、１００…太陽電池モジュール。
【図１】
2018107210.tif 000003
【図２】
2018107210.tif 000004
【図３】
2018107210.tif 000005
【図４】
2018107210.tif 000006
【図５】
2018107210.tif 000007
【図６】
2018107210.tif 000008
【図７】
2018107210.tif 000009
【図８】
2018107210.tif 000010